【事件の表示】
　商願２０００−１３７４４２拒絶査定に対する審判事件について、次のとおり審決する。
【結　論】
　原査定を取り消す。
　本願商標は、登録すべきものとする。
【理　由】
１　本願商標
　本願商標は、別掲（１）のとおりの構成よりなり、第７類、第９類、第１６類、第３５類、第３７類、第３８類、第３９類、第４０類、第４１類及び第４２類に属する願書に記載のとおりの商品及び役務を指定商品及び指定役務として、平成１２年１２月２１日に登録出願、その後指定商品及び指定役務については、平成１４年４月２日付け手続補正書をもって、第７類「金属加工機械器具，化学機械器具，包装用機械器具，プラスチック加工機械器具，半導体製造装置並びに同付属品及び同部品，液晶基板製造装置並びに同付属品及び同部品，ゴム製品製造用機械器具，石材加工機械器具，動力機械器具（陸上の乗物用のものを除く。），風水力機械器具，ガラス器製造機械，起動器，交流電動機及び直流電動機（陸上の乗物用の交流電動機及び直流電動機（その部品を除く。）を除く。），交流発電機，直流発電機，修繕用機械器具，塗装機械器具，機械要素（陸上の乗物用のものを除く。）」、第９類「半導体検査装置並びに同付属品及び同部品，プローブカード，理化学機械器具，測定機械器具，配電用又は制御用の機械器具，電池，電気磁気測定器，電線及びケーブル，光学機械器具，加工ガラス（建築用のものを除く。），電気通信機械器具，電子応用機械器具及びその部品，オゾン発生器，電解槽，ガス漏れ警報器，事故防護用手袋，保安用ヘルメット，防火被服，防じんマスク，防毒マスク，磁心，抵抗線，電極，溶接マスク，映写フィルム，録画済みビデオディスク及びビデオテープ，作業記録機，写真複写機，製図用又は図案用の機械器具，電気計算機，パンチカードシステム機械，アーク溶接機，金属溶断機，電気溶接装置」、第１６類「紙類，紙製包装用容器，荷札，印刷物，写真，写真立て，文房具類，事務用又は家庭用ののり及び接着剤，製図用具，装飾塗工用ブラシ」、第３５類「広告，市場調査，商品の販売に関する情報の提供，商品の販売促進・役務の提供促進のための企画又は運営，輸出入に関する事務の代理又は代行，書類の複製，電子計算機・タイプライター・テレックス又はこれらに準ずる事務用機器の操作，文書又は磁気テープのファイリング，建築物における来訪者の受付及び案内，タイプライター・複写機及びワードプロセッサの貸与，コンピュータデータベースへの情報構築及び情報編集」、第３７類「建築一式工事，しゅんせつ工事，建具工事，鉄筋工事，塗装工事，内装仕上工事，板金工事，防水工事，屋根工事，管工事，機械器具設置工事，さく井工事，電気工事，電気通信工事，熱絶縁工事，建築設備の運転，印刷用又は製本用の機械器具の修理又は保守，映写機の修理又は保守，写真機械器具の修理又は保守，化学機械器具の修理又は保守，火災報知機の修理又は保守，ガラス器製造機械の修理又は保守，金属加工機械器具の修理又は保守，工業用炉の修理又は保守，浄水装置の修理又は保守，照明用器具の修理又は保守，事務用機械器具の修理又は保守，繊維機械器具の修理又は保守，半導体検査装置の修理又は保守，半導体検査装置の修理又は保守に関する助言・情報提供，測定機械器具の修理又は保守，バーナーの修理又は保守，ボイラーの修理又は保守，ポンプの修理又は保守，冷凍機械器具の修理又は保守，貯蔵槽類の修理又は保守，電気通信機械器具（電話機・ラジオ受信機及びテレビジョン受信機を除く。）の修理又は保守，ラジオ受信機又はテレビジョン受信機の修理，電子計算機（中央処理装置及び電子計算機用プログラムを記憶させた電子回路・磁気ディスクその他の周辺機器を含む。）の修理又は保守，配電用又は制御用の機械器具の修理又は保守，発電機の修理又は保守，電動機の修理又は保守，塗装機械器具の修理又は保守，廃棄物圧縮装置の修理又は保守，廃棄物破砕装置の修理又は保守，半導体製造装置並びに液晶基板製造装置の修理又は保守，半導体製造装置並びに液晶基板製造装置の修理又は保守に関する助言・情報提供，プラスチック加工機械器具の修理又は保守，包装用機械器具の修理又は保守，民生用電気機械器具の修理又は保守，理化学機械器具の修理又は保守，加熱器の修理又は保守，錠前の取付け又は修理，浴槽類の修理又は保守，半導体製造装置・液晶基板製造装置・半導体検査装置の清掃」、第３８類「移動体電話による通信，テレックスによる通信，電子計算機端末による通信，電報による通信，電話による通信，ファクシミリによる通信，無線呼出し，電話機・ファクシミリその他の通信機器の貸与，電気通信に関する情報の提供」、第３９類「鉄道による輸送，車両による輸送，船舶による輸送，航空機による輸送，貨物のこん包，貨物の積卸し，貨物の輸送の媒介，船舶の貸与・売買又は運航の委託の媒介，主催旅行の実施，旅行に関する契約（宿泊に関するものを除く。）の代理・媒介又は取次ぎ，寄託を受けた物品の倉庫における保管，係留施設の提供，倉庫の提供，駐車場の提供，パレットの貸与，自動車の貸与，包装用機械器具の貸与」、第４０類「ゴムの加工，プラスチックの加工，石材の加工，セラミックの加工，金属材料の表面処理加工，受託による材料の組立加工，電気材料の加工，電気めっき，フライス削り，焼きなまし，焼き戻し，溶融めっき，木材の加工，一般廃棄物の処分，産業廃棄物の処分，廃棄物の再生，化学機械器具の貸与，ガラス器製造機械の貸与，金属加工機械器具の貸与，半導体製造装置の貸与，液晶基板製造装置の貸与」、第４１類「半導体製造装置・半導体検査装置・液晶基板製造装置の取扱いに関する知識の教授，技芸・スポーツ又は知識の教授，セミナーの企画・運営，図書の貸与，レコード又は録音済み磁気テープの貸与，録画済み磁気テープの貸与」及び第４２類「宿泊施設の提供，宿泊施設の提供の契約の媒介又は取次ぎ，求人情報の提供，一般廃棄物の収集及び分別，産業廃棄物の収集及び分別，建築物の設計，測量，地質の調査，機械・装置若しくは器具（これらの部品を含む。）又はこれらにより構成される設備の設計，デザインの考案，半導体製造装置・半導体検査装置・液晶基板製造装置の使用及び応用に関する技術的指導及び助言，電子計算機・自動車その他その用途に応じて的確な操作をするためには高度の専門的な知識・技術又は経験を必要とする機械の性能・操作方法等に関する紹介及び説明，コンピュータデータベースへのアクセスタイムの賃貸，電子計算機のプログラムの設計・作成又は保守，半導体製造装置・半導体検査装置・液晶基板製造装置の試験・研究又は開発，公害の防止に関する試験又は研究，電気に関する試験又は研究，機械器具に関する試験又は研究，通訳，翻訳，施設の警備，衣服の貸与，展示施設の貸与，カメラの貸与，光学機械器具の貸与，計測器の貸与，コンバインの貸与，タオルの貸与，暖冷房装置の貸与，超音波診断装置の貸与，加熱器の貸与，電子計算機（中央処理装置及び電子計算機用プログラムを記憶させた電子回路・磁気ディスク・磁気テープその他の周辺機器を含む。）の貸与，理化学機械器具の貸与，半導体検査装置の貸与」と補正されたものである。
　
２　引用商標
　原査定において、本願の拒絶の理由に引用した登録第２６９０８８９号商標（以下「引用商標１」という。）は、「サンロクマル」の文字と「３６０」の数字を二段に書してなり、平成２年９月２７日に登録出願、第２６類に属する商標登録原簿に記載のとおりの商品を指定商品として、同６年７月２９日に設定登録されたものである。
　同じく、登録第４０３０６０７号商標（以下「引用商標２」という。）は、別掲（２）のとおりの構成よりなり、平成６年１１月２１日に登録出願、第３５類に属する商標登録原簿に記載のとおりの役務を指定役務として、同９年７月１８日に設定登録されたものである。
　同じく、登録第４０３０６１７号商標（以下「引用商標３」という。）は、別掲（３）のとおりの構成よりなり、平成７年２月７日に登録出願、第３５類に属する商標登録原簿に記載のとおりの役務を指定役務として、同９年７月１８日に設定登録されたものである。
　同じく、登録第４１９１８３５号商標（以下「引用商標４」という。）は、「３６０度」の文字を書してなり、平成８年１２月１０日に登録出願、第１６類に属する商標登録原簿に記載のとおりの商品を指定商品として、同１０年９月２５日に設定登録されたものである。
　同じく、登録第４２３１２３０号商標（以下「引用商標５」という。）は、「３６０度」の文字を書してなり、平成８年１２月１０日に登録出願、第４１類に属する商標登録原簿に記載のとおりの役務を指定役務として、同１１年１月１４日に設定登録されたものである。
　同じく、登録第４３３７３３９号商標（以下「引用商標６」という。）は、別掲（４）のとおりの構成よりなり、平成１０年２月２６日に登録出願、第９類に属する商標登録原簿に記載のとおりの商品を指定商品として、同１１年１１月１９日に設定登録されたものである。
　同じく、登録第４４６０６０１号商標（以下「引用商標７」という。）は、別掲（５）のとおりの構成よりなり、平成１１年８月２日に登録出願、第９類、第３８類及び第４２類に属する商標登録原簿に記載のとおりの商品及び役務を指定商品及び指定役務として、同１３年３月１６日に設定登録されたものである。
　
３　当審の判断
　本願商標は、別掲（１）に示すとおり、上、中、下の各段に図形と文字とをバランスよく配してなるものであるところ、上段は「ＴＥＬ　ＳＥＲＶＩＣＥ」の文字と「ＡＤＶＡＮＴＡＧＥ」の文字を直線を挟んで上下に横書きしてなるものである。中段は「３６０°」及び「ＳＥＲＶＩＣＥ」の文字を二段に横書きし、加えてこれら文字を囲むように水色と緑色に着色した２本の矢印を左回りに回転する如く略楕円形状に配してなるものである。そして、これら矢印のうち右側の矢印は「３６０°」の文字中の「０」の数字の中空を抜けるように、左側の矢印は、その頭部が「ＳＥＲＶＩＣＥ」の文字中の「ＳＥＲ」の文字の下に接するように表してなるものである。また、下段には「Ｔｈｅ　Ｐｏｗｅｒ　ｔｏ　Ｃｈｏｏｓｅ」の文字を書してなるものである。
　しかして、その構成中、中段の２本の矢印の図形と「３６０°」及び「ＳＥＲＶＩＣＥ」の文字部分は、外観上まとまりよく表されており、一体感をもって捉えられるものといい得るから、前記、他の上下段の文字をも含め構成してなる本願商標にあっては、これに接する者をして、その構成中、殊更「３６０°」の文字部分のみに着目せしめ、単に「サンビャクロクジュード」の称呼のみをもって取引に資せられることはないというべきである。
　そうとすると、本願商標から「サンビャクロクジュード」の称呼が生ずるとし、そのうえで、本願商標と引用各商標が称呼上類似するとして、本願商標を商標法第４条第１項第１１号に該当するとした原査定は妥当でなく、取消しを免れない。
　その他、政令で定める期間内に本願について拒絶の理由を発見しない。
　よって、結論のとおり審決する。